(57)【要約】      （修正有）【課題】表示装置の全体サイズに対する表示領域の比率を高め、非発光領域を減らし、電源供給ラインの抵抗を減らした平板表示装置を提供する。【解決手段】基板11上に形成されたものであって、自己発光素子を有し、所定の画像を表示する表示領域2と、少なくとも前記表示領域の外側エッジに沿って塗布されたシーリング材によって少なくとも前記表示領域を密封するカバー部材を前記基板に接合させる密封部材13と、前記基板上の前記密封部材の外側に備えられた端子領域3と、前記表示領域に駆動電源を供給する駆動電源供給ライン41と、を含むものであって、前記駆動電源供給ライン41は、その少なくとも一部が前記密封部材13と基板間11に配置され、少なくとも二つの導電層よりなることを特徴とする平板表示装置である。【選択図】図３
2005049808.tif 000002
【特許請求の範囲】
【請求項１】
基板上に形成されたものであって、自己発光素子を有し、所定の画像を表示する表示領域と、
少なくとも該表示領域の外側エッジに沿って基板に塗布されたシーリング材によって少なくとも該表示領域を密封するカバー部材を該基板に接合させる密封部材と、
該基板上の該密封部材の外側に備えられた端子領域と、
該表示領域に駆動電源を供給する駆動電源供給ラインと、を含むものであって、該駆動電源供給ラインは、その少なくとも一部が該密封部材と基板間に配置された、少なくとも二つの導電層を含むことを特徴とする平板表示装置。
【請求項２】
前記導電層間には絶縁膜が介在しており、前記導電層は互いに導通することを特徴とする請求項１に記載の平板表示装置。
【請求項３】
前記導電層は、前記絶縁膜に形成された複数のコンタクトホールによって互いに導通するように備えられてなることを特徴とする請求項２に記載の平板表示装置。
【請求項４】
前記導電層のうち何れか一つは、前記表示領域のゲート電極と同じ材質で形成されてなることを特徴とする請求項１に記載の平板表示装置。
【請求項５】
前記導電層のうち何れか一つは、前記表示領域のソース電極及びドレーン電極のうち少なくとも一つと同じ材質で形成されてなることを特徴とする請求項１に記載の平板表示装置。
【請求項６】
前記導電層のうち何れか一つは、前記表示領域の自己発光素子のうち少なくとも一つの電極と同じ材質で形成されてなることを特徴とする請求項１に記載の平板表示装置。
【請求項７】
前記駆動電源供給ラインは、前記端子領域に位置する駆動電源端子部と連結され、前記密封部材に沿って配置されてなることを特徴とする請求項１に記載の平板表示装置。
【請求項８】
前記表示領域の自己発光素子を制御する少なくとも一つの回路部をさらに含み、前記回路部のうち少なくとも一つは、その少なくとも一部が前記密封部材と基板間に配置されてなることを特徴とする請求項１に記載の平板表示装置。
【請求項９】
前記表示領域の自己発光素子のうち少なくとも一つの電極に電源を供給する電極電源供給ラインは、その少なくとも一部が前記密封部材と基板間に配置されてなることを特徴とする請求項１に記載の平板表示装置。
【請求項１０】
前記電極電源供給ラインは、少なくとも二つの導電層よりなることを特徴とする請求項９に記載の平板表示装置。
【請求項１１】
前記導電層間には絶縁膜が介在しており、前記導電層は互いに導通することを特徴とする請求項１０に記載の平板表示装置。
【請求項１２】
前記導電層は、前記絶縁膜に形成された複数のコンタクトホールによって互いに導通するように備えられてなることを特徴とする請求項１１に記載の平板表示装置。
【請求項１３】
前記導電層のうち何れか一つは、前記表示領域のゲート電極と同じ材質で形成されてなることを特徴とする請求項１０に記載の平板表示装置。
【請求項１４】
前記導電層のうち何れか一つは、前記表示領域のソース電極及びドレーン電極のうち少なくとも一つと同じ材質で形成されてなることを特徴とする請求項１０に記載の平板表示装置。
【請求項１５】
前記導電層のうち何れか一つは、前記表示領域の自己発光素子の他の一つの電極と同じ材質で形成されてなることを特徴とする請求項１０に記載の平板表示装置。
【請求項１６】
前記電極電源供給ラインと連結された前記自己発光素子の電極は、前記密封部材と基板間に配置された電極電源供給ラインのうち少なくとも一部を覆うように延びてなることを特徴とする請求項９に記載の平板表示装置。
【請求項１７】
前記電極電源供給ラインと連結された前記自己発光素子の電極と、前記密封部材と基板間に配置された電極電源供給ライン間には絶縁膜が配置され、前記絶縁膜に形成された複数のコンタクトホールによって互いに導通することを特徴とする請求項１６に記載の平板表示装置。
【請求項１８】
基板上に形成されたものであって、自己発光素子を有し、所定の画像を表示する表示領域と、
少なくとも該表示領域の外側エッジに沿って基板に塗布されたシーリング材によって少なくとも該表示領域を密封するカバー部材を該基板に接合させる密封部材と、
該基板上の該密封部材の外側に備えられた端子領域と、
該表示領域の自己発光素子の少なくとも一つの電極に電源を供給する電極電源供給ラインと、を含むものであって、該電極電源供給ラインは、その少なくとも一部が該密封部材と基板間に配置され、少なくとも二つの導電層よりなることを特徴とする平板表示装置。
【請求項１９】
前記導電層間には絶縁膜が介在しており、前記導電層は互いに導通することを特徴とする請求項１８に記載の平板表示装置。
【請求項２０】
前記導電層は、前記絶縁膜に形成された複数のコンタクトホールによって互いに導通するように備えられたことを特徴とする請求項１９に記載の平板表示装置。
【請求項２１】
前記導電層のうち何れか一つは、前記表示領域のゲート電極と同じ材質で形成されてなることを特徴とする請求項１８に記載の平板表示装置。
【請求項２２】
前記導電層のうち何れか一つは、前記表示領域のソース電極及びドレーン電極のうち少なくとも一つと同じ材質で形成されてなることを特徴とする請求項１８に記載の平板表示装置。
【請求項２３】
前記導電層のうち何れか一つは、前記表示領域の自己発光素子の他の一つの電極と同じ材質で形成されてなることを特徴とする請求項１８に記載の平板表示装置。
【請求項２４】
前記電極電源供給ラインは、前記端子領域に位置する電極電源端子部と連結され、前記密封部材に沿って配置されてなることを特徴とする請求項１８に記載の平板表示装置。
【請求項２５】
前記電極電源供給ラインと連結された前記自己発光素子の電極は、前記密封部材と基板間に配置された電極電源供給ラインの少なくとも一部を覆うように延びてなることを特徴とする請求項１８に記載の平板表示装置。
【請求項２６】
前記電極電源供給ラインと連結された前記自己発光素子の電極と、前記密封部材と基板間に配置された電極電源供給ラインの間には絶縁膜が配置され、前記絶縁膜に形成された複数のコンタクトホールによって互いに導通することを特徴とする請求項２５に記載の平板表示装置。
【請求項２７】
前記表示領域の自己発光素子を制御する少なくとも一つの回路部をさらに含み、前記回路部のうち少なくとも一つは、その少なくとも一部が前記密封部材と基板間に配置されてなることを特徴とする請求項１８に記載の平板表示装置。
【請求項２８】
前記自己発光素子は、有機電界発光素子であることを特徴とする請求項１〜２７のうち何れか１項に記載の平板表示装置。
【請求項２９】
前記カバー部材は、メタルキャップまたは絶縁性基板であることを特徴とする請求項１〜２８のうち何れか１項に記載の平板表示装置。
【発明の詳細な説明】
【技術分野】
【０００１】
本発明は平板表示装置に係り、より詳細には広い表示領域が得られ、ライン抵抗が減らせる平板表示装置に関する。
【背景技術】
【０００２】
液晶表示素子や有機電界発光表示素子または無機電界発光表示素子などの平板表示装置は、その駆動方式によって、受動駆動方式のパッシブマトリックス（Ｐａｓｓｉｖｅ  Ｍａｔｒｉｘ：ＰＭ）型と、能動駆動方式のアクティブマトリックス（Ａｃｔｉｖｅ  Ｍａｔｒｉｘ：ＡＭ）型とに分類される。前記パッシブマトリックス型は、単純に正極と負極とが各々カラムとローとに配列され、負極にはロー駆動回路からスキャニング信号が供給され、このとき、複数のローのうち何れか一つのローだけが選択される。また、カラム駆動回路は各画素にデータ信号を入力する。一方、前記アクティブマトリックス型は、薄膜トランジスタ（Ｔｈｉｎ  Ｆｉｌｍ  Ｔｒａｎｓｉｓｔｏｒ：ＴＦＴ）を利用して各画素に入力される信号を制御するものであって、膨大な量の信号を処理するのに適し、動映像用の表示装置として多く使われている。
【０００３】
一方、前記平板表示装置のうち有機電界発光表示装置は、アノード電極とカソード電極間に有機物よりなる発光層を有する。この有機電界発光表示装置は、これら電極に正極及び負極電圧が各々印加されることによってアノード電極から注入された正孔が正孔輸送層を経由して発光層に移動し、電子はカソード電極から電子輸送層を経由して発光層に注入され、この発光層において電子とホールとが再結合して励起子を生成し、この励起子が励起状態から基底状態に変化するにつれて、発光層の蛍光性分子が発光することによって画像を形成する。フルカラー有機電界発光表示装置の場合には、赤（Ｒ）、緑（Ｇ）、青（Ｂ）の３色を発光する画素を備えさせることによって前記有機電界発光素子としてフルカラーを実現できる。
【０００４】
しかし、前記のような有機電界発光表示装置において、発光層をはじめとする有機膜は、水分に非常に脆弱な限界を有している。したがって、このような発光層を外部の水分から保護し、また外部の物理的な衝撃から表示装置内の表示領域を保護するために、基板や、メタルキャップを利用して密封する技術が知られている。
【０００５】
図１及び図２には、通常使われるアクティブマトリックス型の有機電界発光表示装置が示される。
【０００６】
図１及び２に示されるアクティブマトリックス型の有機電界発光表示装置は、透明な絶縁基板１１上に有機電界発光素子を含む所定の表示領域２を有し、この表示領域２を密封するようにカバー部材１２であるメタルキャップ１２がシーリング材などの密封部材１３によって密封されたものである。前記表示領域２には、薄膜トランジスタを含む有機電界発光素子が配列されて複数の画素を構成しており、前記表示領域２の上部には有機電界発光素子の何れか一つの電極であるカソード電極２４３が形成されており、このカソード電極２４３は表示領域２の一側エッジに備えられた電極電源供給ライン４２を通じて外部の端子領域３に連結される。また、前記表示領域２には複数の駆動ラインＶＤＤ  ２５が配設されるが、この駆動ライン２５は、表示領域２の外側の駆動電源供給ライン４１を通じて端子領域３と連結されて表示領域２に駆動電源を供給する。そして、前記表示領域２の外側には、前記表示領域２の薄膜トランジスタに信号を入力する垂直回路部５１と水平回路部５２とがさらに備えられ、これらは全て回路配線部４３，４４によって端子領域３と連結される。
【０００７】
前記のようなアクティブマトリックス型の有機電界発光表示装置において、カバー部材１２のメタルキャップは、表示領域２をはじめとして、電源供給ライン４１，４２及び回路部５１，５２など、端子領域３を除外した全領域を密封する。したがって、カバー部材１２の内部領域には画像が表示される表示領域２だけでなく、画像が表示されない電源供給ライン４１，４２及び回路部５１，５２などが全て並存する。これは表示装置の全体サイズに比べて発光される表示領域２の比率を下げる結果となり、結局、非発光領域であるデッドスペースを増やし、効率的でないという問題がある。
【０００８】
それだけでなく、図１及び図２に示されるような有機電界発光表示装置は、前記のような理由によって表示領域２と端子領域３とを連結する電源供給ライン４１，４２の幅を制限しなければならないので、配線部の抵抗が大きくなるという限界を有する。
【０００９】
これは、アクティブマトリックス型の有機電界発光表示装置の一般的な限界として、特許文献１及び特許文献２に開示された有機電界発光表示装置は、全てこのような限界を保有する。
【００１０】
一方、前記のように、メタルキャップやガラス基板などのカバー部材を使用して密封する代わりに、表示装置全面にわたって密封用保護膜を形成し、この保護膜によって水分や酸素の侵入を防止して有機電界発光素子の劣化を防止する技術が特許文献３に開示されている。
【００１１】
しかし、前記のようなアクティブマトリックス型の表示装置の場合には、薄い保護膜によってその内部の素子を保護しようとするものであるため、外部の衝撃から内部素子を十分に保護できず、前記保護膜だけで水分への露出を徹底的に遮断せねばならない有機電界発光素子の保護には限界がある。これは、有機電界発光素子を水分から保護するためにメタルキャップやガラス基板の内側に吸湿剤をさらに含ませる技術が特許文献４に既に開示されていることからも分かる。それだけでなく、前記のように薄い保護膜だけで密封する表示装置の場合には、カバー部材の方向に向かって画像を表示する前面発光型や、両面発光型には適用できない。
【００１２】
特許文献５にはカバー部材と密封部材とによってＥＬ素子を密封し、カバー部材と基板間に互いに並列に連結された複数の配線をした表示装置が開示されている。しかし、このような表示装置の配線構造は、配線を小幅の配線に複数形成した後、これをまた並列に連結しなければならないので、構造が複雑で、かつライン抵抗が大きい問題がある。
【特許文献１】特開２０００−１７３７７９号公報
【特許文献２】特開２０００−１７３７６６号公報
【特許文献３】米国特許第６，３５９，６０６号明細書
【特許文献４】米国特許第５，８８２，７６１号明細書
【特許文献５】韓国特許公開第２００２−９４９８号公報
【発明の開示】
【発明が解決しようとする課題】
【００１３】
本発明は前記問題点を解決するために案出されたものであって、表示装置の全体サイズに対する表示領域の比率を高め、非発光領域を減らせる平板表示装置を提供することにその目的がある。
【００１４】
本発明の他の目的は、駆動電源供給ライン及び電極電源供給ラインなど電源供給ラインのライン抵抗を減らせる平板表示装置を提供することにある。
【００１５】
本発明のさらに他の目的は、電源供給ラインをさらに広く形成できる平板表示装置を提供することにある。
【課題を解決するための手段】
【００１６】
前記目的を達成するために、本発明は基板上に形成されたものであって、自己発光素子を有し、所定の画像を表示する表示領域と、少なくとも該表示領域の外側エッジに沿って基板に塗布されたシーリング材によって少なくとも該表示領域を密封するカバー部材を該基板に接合させる密封部材と、該基板上の該密封部材の外側に備えられた端子領域と、該表示領域に駆動電源を供給する駆動電源供給ラインと、を含むものであって、該駆動電源供給ラインは、その少なくとも一部が該密封部材と基板間に配置され、少なくとも二つの導電層よりなることを特徴とする平板表示装置を提供する。
【００１７】
本発明の他の特徴によれば、前記導電層間には絶縁膜が介在しており、前記導電層を互いに導通させうる。この時、前記導電層は、前記絶縁膜に形成された複数のコンタクトホールによって互いに導通するように備えられる。
【００１８】
本発明のさらに他の特徴によれば、前記導電層のうち何れか一つは前記表示領域のゲート電極と同じ材質で形成されたり、前記表示領域のソース電極及びドレーン電極のうち少なくとも一つと同じ材質で形成されたり、前記表示領域の自己発光素子の少なくとも一つの電極と同じ材質で形成されうる。
【００１９】
本発明のさらに他の特徴によれば、前記駆動電源供給ラインは、前記端子領域に位置する駆動電源端子部と連結され、前記密封部材に沿って配置されうる。
【００２０】
本発明のさらに他の特徴によれば、前記表示領域の自己発光素子を制御する少なくとも一つの回路部をさらに含み、前記回路部のうち少なくとも一つはその少なくとも一部が前記密封部材と基板間に配置されうる。
【００２１】
本発明のさらに他の特徴によれば、前記表示領域の自己発光素子の少なくとも一つの電極に電源を供給する電極電源供給ラインは、その少なくとも一部が前記密封部材と基板間に配置されたものでありうる。
【００２２】
この時、前記電極電源供給ラインは、少なくとも二つの導電層で備えられ、前記導電層間には絶縁膜が介在しており、前記導電層を互いに導通させうる。この時、前記導電層は、前記絶縁膜に形成された複数のコンタクトホールによって互いに導通されるように備えられる。
【００２３】
そして、前記導電層のうち何れか一つは、前記表示領域のゲート電極と同じ材質で形成されたり、前記表示領域のソース電極及びドレーン電極のうち少なくとも一つと同じ材質で形成されたり、前記表示領域の自己発光素子の他の一つの電極と同じ材質で形成されたものでありうる。
【００２４】
本発明のさらに他の特徴によれば、前記電極電源供給ラインと連結された前記自己発光素子の電極は、前記密封部材と基板間に配置された電極電源供給ラインの少なくとも一部を覆うように延びたものでありうる。
【００２５】
本発明のさらに他の特徴によれば、前記電極電源供給ラインと連結された前記自己発光素子の電極と、前記密封部材と基板間に配置された電極電源供給ラインとの間には絶縁膜が配置され、前記絶縁膜に形成された複数のコンタクトホールによって互いに導通されるものでありうる。
【００２６】
本発明はまた、前述した目的を達成するために、基板上に形成されたものであって、自己発光素子を有し、所定の画像を表示する表示領域と、少なくとも該表示領域の外側エッジに沿って基板に塗布されたシーリング材によって少なくとも該表示領域を密封するカバー部材を該基板に接合させる密封部材と、前記基板上の前記密封部材の外側に備えられた端子領域と、該表示領域の自己発光素子の少なくとも一つの電極に電源を供給する電極電源供給ラインと、を含むものであって、該電極電源供給ラインは、その少なくとも一部が該密封部材と基板間に配置され、少なくとも二つの導電層よりなることを特徴とする平板表示装置を提供する。
【００２７】
このような本発明の他の特徴によれば、前記導電層間には絶縁膜が介在しており、前記導電層は互いに導通させうる。この時、前記導電層は、前記絶縁膜に形成された複数のコンタクトホールによって互いに導通されるように備えられる。
【００２８】
本発明のさらに他の特徴によれば、前記導電層のうち何れか一つは、前記表示領域のゲート電極と同じ材質で形成されたり、前記表示領域のソース電極及びドレーン電極のうち少なくとも一つと同じ材質で形成されたり、前記表示領域の自己発光素子の他の一つの電極と同じ材質で形成されたものでありうる。
【００２９】
本発明のさらに他の特徴によれば、前記電極電源供給ラインは、前記端子領域に位置する電極電源端子部と連結され、前記密封部材に沿って配置されたものでありうる。
【００３０】
本発明のさらに他の特徴によれば、前記電極電源供給ラインと連結された前記自己発光素子の電極は、前記密封部材と基板間に配置された電極電源供給ラインの少なくとも一部を覆うように延びたものでありうる。
【００３１】
本発明のさらに他の特徴によれば、前記電極電源供給ラインと連結された前記自己発光素子の電極と、前記密封部材と基板間に配置された電極電源供給ラインとの間には絶縁膜が配置され、前記絶縁膜に形成された複数のコンタクトホールによって互いに導通されるものでありうる。
【００３２】
本発明のさらに他の特徴によれば、前記表示領域の自己発光素子を制御する少なくとも一つの回路部をさらに含み、前記回路部のうち少なくとも一つは、その少なくとも一部が前記密封部材と基板間に配置されうる。
【００３３】
本発明において、前記自己発光素子は、有機電界発光素子でありうる。
【００３４】
また、本発明において、前記カバー部材は、メタルキャップまたは絶縁性基板でありうる。
【発明の効果】
【００３５】
本発明によれば、次のような効果を得られる。
【００３６】
第一に、電源供給ライン及び回路部を密封部材の領域に形成することによって、表示装置の全体サイズに対する表示領域の比率を高め、これにより非発光領域を減らせる。
【００３７】
第二に、電源供給ラインを互いに連結された多層の導電膜に形成することによって、配線抵抗を減らせる。
【００３８】
第三に、電源供給ライン及び回路部を密封部材の領域に形成させることによって、これら電源供給ライン及び回路部を少なくとも密封部材の幅だけ広く形成できる。
【発明を実施するための最良の形態】
【００３９】
以下、添付図面を参照して本発明の望ましい実施例についてより詳細に説明する。
【００４０】
「自己発光素子」とは、バックライトや外光などの別の光源を必要としない発光素子のことで、発光層から発散される光だけで画像を表示する素子をいう。
【実施例１】
【００４１】
図３は、本発明の第１実施例によるアクティブマトリックス型の有機電界発光表示装置の全体的な構成を示す平面図であり、図４は、図３のＩＩ−ＩＩに沿う断面図である。そして、図５〜図８は、前記アクティブマトリックス型の有機電界発光表示装置のある特定副画素を示す図面である。
【００４２】
図３及び図４に示される本発明の第１実施例によるアクティブマトリックス型の有機電界発光表示装置は、図５〜図８に示されるような副画素を複数備えているが、まず、この副画素について説明する。図５〜図８に示される副画素の構造は、本発明のアクティブマトリックス型の有機電界発光表示装置で採用できる一実施例に過ぎない。
【００４３】
図５は、図３に示される副画素のうち互いに隣接した四つの副画素についての部分拡大平面図であり、図６は図５に示される一つの副画素についての等価回路図である。
【００４４】
まず、図６において、本発明の一実施例によるアクティブマトリックス有機電界発光表示装置の各副画素は、スイッチング用である第１ＴＦＴ２１と、駆動用である第２ＴＦＴ２３からなる少なくとも２つの薄膜トランジスタと、一つのキャパシタ２２及び一つの有機電界発光素子２４（以下、「ＥＬ素子」）よりなる。前記の薄膜トランジスタ及びキャパシタの数は、必ずしもこれに限定されず、これよりさらに多数の薄膜トランジスタ及びキャパシタを備えられる。
【００４５】
前記第１ＴＦＴ２１は、ゲートライン２６に印加されたスキャン信号によって駆動して、データライン２７に印加されたデータ信号をキャパシタ２２と第２ＴＦＴ２３に伝達する役割を担う。前記第２ＴＦＴ２３は、前記第１ＴＦＴ２１を通じて伝えられたデータ信号によって、すなわち、ゲートとソース間の電圧差（Ｖｇｓ）によってＥＬ素子２４に流入する電流量を決定する。前記キャパシタ２２は、前記第１ＴＦＴ２１を通じて伝えられたデータ信号を一フレーム間に保存する役割を担う。
【００４６】
このような回路を実現するために、図５、図７及び図８のような構造の有機電界発光表示装置を形成するが、これをさらに詳細に説明する。
【００４７】
図５、図７及び図８に示されるように、ガラス材の絶縁基板１１上にＳｉＯ２などでバッファ層１１１が形成されており、このバッファ層１１１の上部に第１ＴＦＴ２１、第２ＴＦＴ２３、キャパシタ２２及びＥＬ素子２４が形成される。
【００４８】
図５及び図７に示されるように前記第１ＴＦＴ２１は、バッファ層１１１上に形成された第１活性層２１１と、この第１活性層２１１の上部に形成されたゲート絶縁膜１１２と、ゲート絶縁膜１１２の上部のゲート電極２１２を有する。
【００４９】
前記第１活性層２１１は、非晶質シリコン薄膜または多結晶質シリコン薄膜で形成されうる。この半導体活性層２１１は、Ｎ型またはＰ型の不純物が高濃度でドーピングされたソース及びドレーン領域を有する。
【００５０】
前記第１活性層２１１の上部には、ＳｉＯ２などのゲート絶縁膜１１２が形成され、ゲート絶縁膜１１２の上部の所定領域にはＭｏＷ，Ａｌ／Ｃｕなどの導電膜でゲート電極２１２が形成される。前記ゲート電極２１２は、ＴＦＴオン／オフ信号を出力するゲートライン２６と連結される。
【００５１】
前記ゲート電極２１２の上部には、中間絶縁膜１１３が形成され、中間絶縁膜１１３とゲート絶縁膜１１２に形成されたコンタクトホールを通じてソース電極２１３とドレーン電極２１４とが各々第１活性層２１１のソース領域及びドレーン領域に接するように形成される。前記ソース電極２１３は、図６のデータライン２７と連結されて第１活性層２１１にデータ信号を供給し、前記ドレーン電極２１４は、キャパシタ２２の第１電極２２１に連結されてキャパシタ２２に電源を供給する。
【００５２】
ソース及びドレーン電極２１３，２１４の上部には、ＳｉＯ２などよりなるパッシベーション膜１１４が形成され、このパッシベーション膜１１４の上部にはアクリルまたはポリイミドなどによる平坦化膜１１５が形成されている。
【００５３】
充電用キャパシタ２２は、第１ＴＦＴ２１と第２ＴＦＴ２３間に位置するものであって、図５及び図７に示されるように、第１ＴＦＴ２１のドレーン電極２１４と接続された第１電極２２１、第１電極２２１の上部に第１電極２２１とオーバーラップするように形成され、電源印加線である駆動ライン２５と電気的に連結される第２電極２２２及び第１電極２２１と第２電極２２２の間に形成されて誘電層として使われる中間絶縁膜１１３を含む。もちろん、このような充電用キャパシタ２２の構造は、必ずしもこれに限定されず、ＴＦＴ用のシリコン薄膜とゲート電極の導電層とがキャパシタ用の第１及び第２電極として使われ、ゲート絶縁層が誘電層として使われることもあり、その他にも多様な方法によって形成しうる。
【００５４】
第２ＴＦＴ２３は、図５及び図８に示されるように、バッファ層１１１の上部に非晶質シリコン薄膜または多結晶質シリコン薄膜で第２活性層２３１が形成されており、この半導体活性層は、Ｎ型またはＰ型の不純物が高濃度でドーピングされたソース及びドレーン領域を有する。第２活性層２３１の上部には、ゲート絶縁膜１１２が形成されていてキャパシタ２２の第１電極２２１と連結し、ＴＦＴオン／オフ信号を供給するゲート電極２３２がゲート絶縁膜１１２上に形成されている。ゲート電極２３２の上部には、駆動ライン２５と接続されて第２活性層２３１に駆動のための基準電圧を供給するソース電極２３３と、第２ＴＦＴ２３とＥＬ素子２４とを連結させてＥＬ素子２４に駆動電源を印加するドレーン電極２３４が構成される。ゲート電極２３２とソース及びドレーン電極２３３，２３４との間には中間絶縁膜１１３が備えられており、ソース及びドレーン電極２３３，２３４とＥＬ素子２４のうち何れか一つの電極であるアノード電極２４１との間には、パッシベーション膜１１４が介在している。
【００５５】
前記アノード電極２４１の上部には、アクリルなどによって絶縁性平坦化膜１１５が形成されており、この平坦化膜１１５に所定の開口部２４４を形成した後、ＥＬ素子２４を形成する。
【００５６】
前記ＥＬ素子２４は、電流の流れによって赤、緑、青の光を発光して所定の画像情報を示すものであって、第２ＴＦＴ２３のドレーン電極２３４に連結されてこれからプラス電源を供給されるアノード電極２４１と、全体画素を覆うように備えられてマイナス電源を供給するカソード電極２４３、及びこれらアノード電極２４１とカソード電極２４３間に配置されて発光する有機発光膜２４２で構成される。
【００５７】
アノード電極２４１は、ＩＴＯなどの透明電極で形成され、カソード電極２４３は基板１１の方向に発光する背面発光型の場合、Ａｌ／Ｃａなどで全面蒸着して形成し、図４に示されるようなカバー部材１２であるガラス基板の方向に発光する前面発光型の場合には、Ｍｇ−Ａｇなどの金属によって薄い半透過性薄膜を形成した後、その上に透明なＩＴＯを蒸着して形成できる。前記カソード電極２４３は、必ずしも全面蒸着される必要はなく、多様なパターンに形成されうる。前記アノード電極２４１とカソード電極２４３とは互いに位置が反対に積層されることもある。
【００５８】
有機発光膜２４２は、低分子または高分子有機膜が使用されうるが、低分子有機膜を使用する場合、ホール注入層（ＨＩＬ：Ｈｏｌｅ  Ｉｎｊｅｃｔｉｏｎ  Ｌａｙｅｒ）、ホール輸送層（ＨＴＬ：Ｈｏｌｅ  Ｔｒａｎｓｐｏｒｔ  Ｌａｙｅｒ）、有機発光層（ＥＭＬ：Ｅｍｉｓｓｉｏｎ  Ｌａｙｅｒ）、電子輸送層（ＥＴＬ：Ｅｌｅｃｔｒｏｎ  Ｔｒａｎｓｐｏｒｔ  Ｌａｙｅｒ）、電子注入層（ＥＩＬ：Ｅｌｅｃｔｒｏｎ  Ｉｎｊｅｃｔｉｏｎ  Ｌａｙｅｒ）などが単一あるいは複合の構造で積層されて形成され、使用可能な有機材料も、例えばＣｕフタロシアニン（ＣｕＰｃ：Ｃｏｐｐｅｒ  Ｐｈｔｈａｌｏｃｙａｎｉｎｅ）、Ｎ，Ｎ−ジ（ナフタレン−１−イル）−Ｎ，Ｎ’−ジフェニル−ベンジジン（Ｎ，Ｎ’−Ｄｉ（Ｎａｐｈｔｈａｌｅｎｅ−１−ｙｌ）−Ｎ，Ｎ’−ｄｉＰｈｅｎｙｌ−Ｂｅｎｚｉｄｉｎｅ：ＮＰＢ）、トリス−８−ヒドロキシキノリンアルミニウム（Ａｌｑ３）が適用できる。これら低分子有機膜は、真空蒸着法で形成できる。
【００５９】
高分子有機膜の場合には、大体ＨＴＬ及びＥＭＬよりなる構造を有することもあり、この時、前記ＨＴＬにＰＥＤＯＴ（ｐｏｌｙ（ｅｔｈｙｌｅｎｅｄｉｏｘｙ）ｔｈｉｏｐｈｅｎｅ）を使用し、ＥＭＬにＰＰＶ（Ｐｏｌｙ−Ｐｈｅｎｙｌｅｎｅ  Ｖｉｎｙｌｅｎｅ）系及びポリフルオレン系などの高分子有機物質を使用し、これをスクリーン印刷やインクジェット印刷方法で形成できる。
【００６０】
前述したような本発明の一実施例による有機電界発光素子の構造は、必ずしも前述したものに限定されず、これと異なるいかなる構造も本発明に適用されうる。
【００６１】
再び、図３及び図４で、本発明の第１実施例による有機電界発光表示装置の全体構造を説明する。
【００６２】
前記のような有機電界発光素子を備えた画素によって図３示される表示領域２が形成される。この表示領域２を通じて画像が表示される。前記表示領域２は、図７及び図８に示される薄膜トランジスタ及びキャパシタが配設されている回路領域２０を有する。
【００６３】
前記表示領域２が形成された基板１１上には、図４に示されるように、カバー部材１２が密封部材１３を介して接合され、内部の表示領域２を外部の衝撃や、水分、空気から保護する。前記カバー部材１２は、図４のように、ガラス材の絶縁基板または、金属材のメタルキャップを使用することもある。
【００６４】
前記表示領域２が形成された基板１１の一側の端部には、所定の端子が配設された端子領域３が置かれる。この端子領域３は、前記カバー部材１２の外側に露出している。
【００６５】
一方、前記の表示領域２の周囲には、表示領域２の駆動ライン２５に駆動電源を供給するための駆動電源供給ライン４１と、カソード電極２４３と接続されてカソード電源を供給する電極電源供給ライン４２と、前記表示領域２に印加される信号を制御する垂直および水平の回路部５１，５２が配設されている。
【００６６】
前記駆動電源供給ライン４１は、端子領域３の駆動電源端子部３１から前記表示領域２の全体を取り囲むように配設され、表示領域２を横切る駆動ライン２５と連結されるように表示領域２の下に配置される。
【００６７】
表示領域２の一側には、表示領域２のカソード電極２４３と電気的に連結された電極電源供給ライン４２が配設されている。カソード電極２４３は、この電極電源供給ライン４２を覆うように延び、前記カソード電極２４３と前記電極電源供給ライン４２との間には絶縁膜が介在し、これらは絶縁膜に形成された複数のコンタクトホール４２５によって互いに連通する。これについては、後述する。
【００６８】
前記駆動電源供給ライン４１と表示領域２間には、垂直回路部５１及び水平回路部５２が各々設置されるが、前記垂直回路部５１は、表示領域２のゲートライン２６にスキャン信号を印加するスキャン駆動回路部となり、これは前記端子領域３のスキャン端子部３３と電気的に連結される。前記水平回路部５２は、表示領域２のデータライン２７にデータ信号を印加するデータ駆動回路部となり、これは前記端子領域３のデータ端子部３４と電気的に連結されるものであって、この水平回路部５２、すなわち、データ駆動回路部は、カバー部材１２のガラス上に位置することもあり、外部ＩＣやＣＯＧなどによって表示されることもある。
【００６９】
一方、本発明において、前記駆動電源供給ライン４１は、図３及び図４に示されるように、その少なくとも一部が基板１１と密封部材１３間に配置されうる。本発明の第１実施例によれば、前記駆動電源供給ライン４１は、図３及び図４に示されるように、密封部材１３に沿って、密封部材１３の下に配置される。したがって、駆動電源供給ライン４１の面積だけ表示領域を広くできる。
【００７０】
また、この駆動電源供給ライン４１は、図４に示されるように、少なくとも密封部材１３のシーリング材１３１が塗布された幅だけ広く形成できる。したがって、このように十分に広い駆動電源供給ライン４１によってその抵抗を減らせて、電圧降下を防止できる。
【００７１】
一方、前記駆動電源供給ライン４１としては、少なくとも二つの導電膜を形成して配線抵抗を減らせる。すなわち、前記駆動電源供給ライン４１には、図４に示されるように、基板１１の上部に形成された第１導電膜４１１と第２導電膜４１３と、この第１導電膜４１１と第２導電膜４１３間に配置された絶縁膜４１４が含まれる。
【００７２】
前記第１導電膜４１１は、表示領域２のゲート電極と同じ材質で、ゲート電極の形成と同時に形成でき、前記第２導電膜４１３は、ソース及びドレーン電極と同じ材質で、ソース及びドレーン電極の形成と同時に形成できる。もちろん、前記第１導電膜４１１を活性層と同じ材質で、活性層と同時に形成し、第２導電膜４１３をゲート電極またはソース及びドレーン電極と同時に形成することもある。また、前記第１導電膜４１１をゲート電極またはソース及びドレーン電極と同じ材質で、第２導電膜４１３をアノード電極と同じ材質で形成したり、前記第１導電膜４１１をゲート電極、ソース及びドレーン電極、またはアノード電極と同じ材質で、第２導電膜４１３をカソード電極と同じ材質で形成したりできる。この他にも多様な方法によって形成できる。すなわち、前記第１導電膜４１１及び第２導電膜４１３は、ゲート電極、ソース及びドレーン電極、アノード電極及びカソード電極による多様な組み合わせによって２層構造として形成できる。前記活性層は、第１導電膜４１１の下に部分的に形成して、第１導電膜４１１と基板との接合を良くするためのダミーパターンとして使用できる。
【００７３】
前記絶縁膜４１４は、表示領域２の中間絶縁膜１１３としてもよい。このとき、中間絶縁膜１１３の代わりにゲート絶縁膜またはパッシベーション膜が絶縁膜として利用できる。前記の第１導電膜４１１と第２導電膜４１３とは、絶縁膜４１４に形成された複数のコンタクトホール４１２によって互いに導通できる。
【００７４】
このように多層構造の電源線によって駆動電源供給ライン４１のライン抵抗を顕著に減らせる。このような駆動電源供給ライン４１は、前記の２層構造以外にも多層構造に形成できる。例えば、ゲート電極と同じ材質で第１導電膜を形成し、ソース及びドレーン電極と同じ材質で第２導電膜を形成し、アノード電極またはカソード電極と同じ材質で第３導電膜を形成してその間をコンタクトホールによって連結できる。それだけでなく、前記第１導電膜と第２導電膜の上に第３導電膜をアノード電極として形成し、前記第３導電膜の上にカソード電極と同じ材質で第４導電膜を形成できる。これは、後述する本発明の他の実施例における電源供給ラインの構造にそのまま適用されうる。
【００７５】
一方、前記の駆動電源供給ライン４１は、図示されていないが、単層の構造に形成できる。すなわち、ソース及びドレーン電極と同じ材質でこれら電極を形成する時に同時に形成でき、その他にも多様な導電層の形成と同時に形成することもある。
【００７６】
前記第２導電膜４１３の上には、パッシベーション膜１１４が形成され、その上に、スペーサ１３２が内在したシーリング材１３１を塗布してカバー部材１２の前面基板を背面基板の絶縁基板１１に接合密封させる。
【００７７】
なお、符号３２は電極電源供給ライン４２と電極で電源端子部である。
【実施例２】
【００７８】
図９及び図１０は、本発明の望ましい第２実施例によるアクティブマトリックス型の有機電界発光表示装置の構成を示す平面図及び断面図であって、本発明の望ましい第２実施例によるアクティブマトリックス型の有機電界発光表示装置は、その画素など基本的な構成は前述した第１実施例の場合と同じであるので、以下では電源供給ラインの配置について主に説明する。
【００７９】
本発明の第２実施例によるアクティブマトリックス型の有機電界発光表示装置は、図９に示されるように、駆動電源供給ライン４１と、電極電源供給ライン４２とを密封部材１３に沿って、基板１１と密封部材１３間に形成させたものである。この時、前記駆動電源供給ライン４１は、駆動電源端子部３１から前記密封部材１３に沿って延び、密封部材１３の一側にはカソード電極２４３と連結された電極電源供給ライン４２が位置する。密封部材１３の内側に、表示領域２と密封部材１３間には垂直回路部５１が配設されている。図９による本発明の第２実施例では、水平回路部５２は基板１１上に表示せず、カバー部材１２に設置するか、または外部ＩＣまたはＣＯＧが水平回路部として使用されるが、必ずしもこれに限定されず、密封部材１３の下の基板上に配設することもある。
【００８０】
電極電源供給ライン４２は、図１０に示されるように、第１導電膜４２１と第２導電膜４２３によって形成されうるが、前記第１及び第２導電膜４２１，４２３と絶縁膜４２４とは前述した第１実施例の場合と同様に形成できる。すなわち、前記第１導電膜４２１をゲート電極と同じ材質で形成し、前記第２導電膜４２３はソース及びドレーン電極と同じ材質で形成したり、前記第１導電膜４２１を活性層と同一材質で、第２導電膜４２３をゲート電極またはソース及びドレーン電極と同時に形成したりすることもある。また、前記第１導電膜４２１をゲート電極またはソース及びドレーン電極と同じ材質で、第２導電膜４２３をアノード電極と同じ材質で形成できる。この他にも多様な方法によって形成できる。
【００８１】
もちろん、このような第１導電膜４２１と第２導電膜４２３とは、絶縁膜４２４に形成された複数のコンタクトホール４２２によって連通する。
【００８２】
一方、カソード電極２４３は、この電極電源供給ライン４２に重なるように延び、このカソード電極２４３はパッシベーション膜１１４に形成された複数のコンタクトホール４２５によって前記電極電源供給ライン４２と連通する。
【００８３】
そして、カソード電極２４３の下面には、図１０に示されるように、アノード電極と同じ材質で形成された別の導電膜４２６をさらに形成できる。この導電膜４２６は、アノード電極が形成される時に形成されうるものであって、アノード電極をパターニングする時、その下の第１及び第２導電膜４２１，４２３が露出しないようにしてエッチング工程による腐食の発生を防止できる。
【００８４】
また、図示されないが、前記カソード電極２４３の上には別の保護絶縁膜をさらに形成することもある。
【００８５】
このように、本発明の第２実施例によれば、カソード電極２４３と連結された電極電源供給ライン４２と、駆動電源供給ライン４１の面積だけ表示領域を広げることができて、さらに効率的に表示装置を設計できる。
【００８６】
また、前記電極電源供給ライン４２は、図９に示されるように、少なくとも密封部材１３のシーリング材１３１が塗布された幅だけ広く形成でき、このように十分に広い電極電源供給ライン４２によってその抵抗を減らせて、電圧降下を防止できる。それだけでなく、多層構造の電源線によって電極電源供給ライン４２の配線抵抗を顕著に減らせる。すなわち、ゲート電極と同じ材質で第１導電膜を形成し、ソース及びドレーン電極と同じ材質で第２導電膜を形成し、アノード電極と同じ材質で第３導電膜を形成してその間をコンタクトホールによって連結できる。
【００８７】
このような抵抗減少の効果は、駆動電源供給ライン４１にも同様に適用される。
【実施例３】
【００８８】
図１１は、本発明の望ましい第３実施例によるアクティブマトリックス型の有機電界発光表示装置の構成を示す平面図であって、画素など基本的な構成は前述した第１及び第２実施例の場合と同じである。
【００８９】
図１１に示されるように、本発明の第３実施例によるアクティブマトリックス型の有機電界発光表示装置において、駆動電源供給ライン４１と、垂直回路部５１とを密封部材１３に沿って、基板１１と密封部材１３間に形成させたものである。
【００９０】
すなわち、前記駆動電源供給ライン４１は、駆動電源端子部３１から前記密封部材１３に沿って延び、密封部材１３の一側には垂直回路部５１が配設されている。密封部材１３の内側に、表示領域２と密封部材１３間にはカソード電極２４３と連結された電極電源供給ライン４２が位置する。前記水平回路部は、前述したように、基板１１上に表示せず、カバー部材１２に設置したり、外部ＩＣまたはＣＯＧとして表示したりしたが、必ずしもこれに限定されず、密封部材１３内に配設できる。
【００９１】
このように、本発明の第３実施例によれば、駆動電源供給ライン４１及び垂直回路部５１の面積だけ表示領域を拡大でき、さらに効率的に表示装置を設計でき、前述したように、駆動電源供給ライン４１の抵抗減少及び電圧降下の防止効果も得られる。
【実施例４】
【００９２】
図１２は、本発明の望ましい第４実施例によるアクティブマトリックス型の有機電界発光表示装置の構成を示す平面図であって、画素など基本的な構成は前述した第１〜第３実施例の場合と同じである。
【００９３】
図１２に示されるように、本発明の第４実施例によるアクティブマトリックス型の有機電界発光表示装置において、駆動電源供給ライン４１、電極電源供給ライン４２及び垂直回路部５１を密封部材１３に沿って、基板１１と密封部材１３間に形成させたものである。
【００９４】
すなわち、図１２に示されるように、前記駆動電源供給ライン４１は、表示領域２の上・下側に配設され、電極電源供給ライン４２と垂直回路部５１とは表示領域２の左・右側に配設される。もちろん、前記電極電源供給ライン４２と垂直回路部５１との位置は、図１２と反対に配設されうる。この時、前記水平回路部５２は、前述したように、基板１１上に表示せず、カバー部材１２に設置し、または、外部ＩＣまたはＣＯＧとして表示できる。
【００９５】
このように、本発明の第４実施例によれば、駆動電源供給ライン４１、電極電源供給ライン４２及び垂直回路部５１を全て密封部材１３の領域に形成することによって、密封部材１３の内側には表示領域２だけを存在させ、結果的に、表示領域を拡大でき、さらに効率的に表示装置を設計できる。また、前述したように、駆動電源供給ライン４１及び電極電源供給ライン４２の抵抗減少及び電圧降下の防止効果も得られる。
【００９６】
その他にも本発明は、水平回路部５２も密封部材１３の領域に形成させ、その他のいかなる配線部及び回路部も密封部材１３に沿って形成させて表示領域２の拡大を極大化できる。
【００９７】
以上、本発明の望ましい実施例を参照して説明したが、当業者ならば、特許請求の範囲に記載された本発明の思想及び領域から外れない範囲内で本発明を多様に修正及び変更させうる。
【産業上の利用可能性】
【００９８】
本発明は有機電界発光素子に適用したものであるが、必ずしもこれに限定されず、無機電界発光素子及び液晶表示装置など多様な平板ディスプレイに適用されうる。
【図面の簡単な説明】
【００９９】
【図１】従来のアクティブマトリックス型の有機電界発光表示装置の構成を概略的に示す平面図である。
【図２】図１のＩ−Ｉに沿う断面図である。
【図３】本発明の望ましい第１実施例によるアクティブマトリックス型の有機電界発光表示装置の構造を説明するための平面図である。
【図４】図３のＩＩ−ＩＩに沿う断面図である。
【図５】図３で一部の副画素を示す部分拡大平面図である。
【図６】図３の単位画素に対する等価回路図である。
【図７】図５のＩＩＩ−ＩＩＩに沿う断面図である。
【図８】図５のＩＶ−ＩＶに沿う断面図である。
【図９】本発明の望ましい第２実施例によるアクティブマトリックス型の有機電界発光表示装置の構造を説明するための平面図である。
【図１０】図９のＶ−Ｖに沿う断面図である。
【図１１】本発明の望ましい第３実施例によるアクティブマトリックス型の有機電界発光表示装置の構造を説明するための平面図である。
【図１２】本発明の望ましい第４実施例によるアクティブマトリックス型の有機電界発光表示装置の構造を説明するための平面図である。
【符号の説明】
【０１００】
１１      基板、
１２      カバー部材、
１３      密封部材、
１３１    シーリング材、
２        表示領域、
２１      第１ＴＦＴ、
２２      キャパシタ、
２３      第２ＴＦＴ、
２４      ＥＬ素子、
２５      駆動ライン、
２６      ゲートライン、
２７      データライン、
３        端子領域、
４１      駆動電源供給ライン、
４２      電極電源供給ライン、
５１      垂直回路部、
５２      水平回路部。
【図１】
2005049808.tif 000003
【図２】
2005049808.tif 000004
【図３】
2005049808.tif 000005
【図４】
2005049808.tif 000006
【図５】
2005049808.tif 000007
【図６】
2005049808.tif 000008
【図７】
2005049808.tif 000009
【図８】
2005049808.tif 000010
【図９】
2005049808.tif 000011
【図１０】
2005049808.tif 000012
【図１１】
2005049808.tif 000013
【図１２】
2005049808.tif 000014